(57)【要約】      （修正有）【課題】車いす使用者も圧迫感を感じることなく利用を可能とする顔出し看板を提供する。【解決手段】顔出し看板を二つのパネルを用いる構成とし、顔出し孔４を設け垂直に立てられた上部パネル２と、車いす使用者の胸元６から、車いすアームレスト７、車いす使用者の膝８に接触しないよう足先９に向け張り出した、車いす使用者側から撮影者側へ向け凸状の側面視円弧状の形状を持つ曲面パネル３によって構成され、上部パネル２と曲面パネル３の下部に丸い空間を設ける構造で形成されたことで、看板利用時に車いす使用者の足先部分が形成された空間に納まり圧迫感を感じることなく顔出し孔４に近づくことができ、車いす使用者が無理な姿勢をとることなく利用が可能となる。【選択図】図２
0003217082.tif 000002
【実用新案登録請求の範囲】
【請求項１】
顔出し孔を備える垂直に立てられた上部パネルと、車いす使用者の胸元から車いすアームレストと車いす使用者の膝に接触しないよう、上部パネル底辺から足先に向け張り出した、車いす使用者側から撮影者側へ向け凸状の側面視円弧状の形状を持つ曲面パネルとの構成により、上部パネルと曲面パネルの下部に車いす使用者の足先部分が収まる空間を設けられている構造とすることを特徴とする顔出し看板。
【請求項２】
上部パネル右端部から右看板基部へ真下に向け形成された右立支柱と、上部パネル左端部から左看板基部へ向け真下に形成された左立支柱と、上部パネル上端部に左右の立支柱の両端をむすぶ上部パネル横支柱と、曲面パネル下端部に左右の看板基部の両端をむすぶ曲面パネル横支柱と、上部パネルと曲面パネルの接続部に左右の立支柱の両端をむすぶ中央横支柱を設けられたことを特徴とする請求項１の顔出し看板。
【請求項３】
右立支柱の下端に連結された右看板基部と、左立支柱の下端に連結された左看板基部とを設けられたことを特徴とする請求項１または請求項２に記載された顔出し看板。
【請求項４】
車いす使用者側に向く方向に、右立支柱から右看板基部に向け斜め方向に形成された右補強支柱と、車いす使用者側に向く方向に、左立支柱から左看板基部に向け形成された左補強支柱とを備えたことを特徴とする請求項１から請求項３に記載された顔出し看板。
【請求項５】
曲面パネルの右側端に沿って形成された右曲面支柱と、曲面パネルの左側端に沿って形成された左曲面支柱とを備えたことを特徴とする請求項１から請求項４に記載された顔出し看板。
【請求項６】
右立支柱と右看板基部とのＴ字型交差部位に右補強金具と、左立支柱と左看板基部とのＴ字型交差部位に左補強金具を看板の構造補強のため連結されたことを特徴とする請求項１から請求項５に記載された顔出し看板。
【請求項７】
上部パネルと曲面パネルは、合板、化粧合板、プラスチック板、アルミ複合板、塩ビ板により、単体又はこれらの組み合わせで構成されていることを特徴とする請求項１から請求項６に記載された顔出し看板。
【請求項８】
右立支柱、左立支柱、右看板基部、左看板基部、上部パネル横支柱、曲面パネル横支柱、中央横支柱、右補強支柱、左横支柱は、アルミ角パイプ、木材、鉄、ステンレスにより、単体又はこれらの組み合わせで構成されていることを特徴とする請求項１から請求項７に記載された顔出し看板。
【考案の詳細な説明】
【技術分野】
【０００１】  本考案は、顔出し看板に車いす使用者の足先が接触しないよう空間を設け、車いす使用者も車いすに着座のまま利用できる顔出し看板に関するものである。
【背景技術】
【０００２】  観光地や観光・レジャー施設などに設置されている顔出し看板は、垂直に設置された平面な構造であり、看板が車いす使用者の足先に接触し顔出し孔へ近づけないため利用が困難な状況にある。
【先行技術文献】
【特許文献】
【０００３】
【特許文献１】実用新案登録第３２１３６４３号
【考案の概要】
【考案が解決しようとする課題】
【０００４】  車いすを使用されている方が、遊びや旅行で観光地、観光施設、レジャー施設、公共施設などへ訪れる際、一般の来訪者と同じように記念として顔出し看板を利用する機会があるが、垂直に設置された平面な構造のため、車いす使用者の足先との接触で顔が顔出し孔まで届くことができず、顔出し看板を利用することができない状態である。【０００５】  特許文献１の顔出し看板により従来の問題が解決され、車いす使用者、特定非営利活動法人、障害者福祉団体、また、顔出し看板の設置を望まれる各種施設等に高い評価をいただいているが、特許文献１の請求項１の顔出し看板は３種類のパネルで構成されており、作業効率を図るためパネル数の削減が望まれる、また請求項２、請求項３の顔出し看板では、車いすでの使用時に圧迫感が生じるとのことで、改めて構造を改善されることが望まれる。【０００６】  本考案は、このような従来の顔出し看板の構造が有していた問題の解決と、特許文献１の顔出し看板を改善しようとするものであり、車いす使用者の胸元から足先に向け、凸状の側面視円弧状の形状を持つ曲面パネルを設けることで、垂直な上部パネルと曲面パネルの下部に丸い空間を形成された構造とすることにより、上部パネルと曲面パネルとの２種類のパネルで構成されたパネル数の削減と、看板を使用する際の圧迫感を無くし、また強固な構造で車いす使用者が安心して利用できることを目的とするものである。
【課題を解決するための手段】
【０００７】  本考案は、顔出し孔を備える垂直に立てられた上部パネルと、車いす使用者の胸元から車いすアームレストと車いす使用者の膝に接触しないよう、上部パネル底辺から足先に向け張り出した、車いす使用者側から撮影者側へ向け凸状の側面視円弧状の形状を持つ曲面パネルとの構成により、上部パネルと曲面パネルの下部に車いす使用者の足先部分が収まる空間を設けられていることで、車いす使用者も着座のまま利用できるものとする。
【考案の効果】
【０００８】  顔出し孔を備える垂直に立てられた上部パネルと、車いす使用者の胸元から車いすアームレストと車いす使用者の膝に接触しないよう、上部パネル底辺から足先に向け張り出した、車いす使用者側から撮影者側へ向け凸状の側面視円弧状の形状を持つ曲面パネルとの、２種類のパネルで構成されていることで、特許文献１の請求項１における顔出し看板を構成するパネル数が削減され、また上部パネルと曲面パネルの下部に空間を設けられている構造にすることで、車いす使用者の足先を収めることができる。【０００９】  車いす使用者の足先部分を収める空間を、垂直に立てられた上部パネルと、曲面パネルとで構成されていることにより、上部パネルと曲面パネルの下部に丸い空間を形成されたことで看板利用時の圧迫感を解消できる。
【図面の簡単な説明】
【００１０】
【図１】本考案の実施形態に係わる、撮影側から見た顔出し看板の立体図である。
【図２】本考案の実施形態に係わる、二つのパネル構成の顔出し看板のＡ−Ａ線断面図である。
【図３】本考案の実施形態に係わる、二つのパネル構成の顔出し看板の正面図である。
【図４】本考案の、撮影面の形を適宜の形に変更できる、顔出し看板の一例を示す正面図である。
【考案を実施するための形態】
【００１１】  本考案の実施形態を、各実施形態図を参照して説明する。
【００１２】  本考案の顔出し看板は、二つのパネルを使用する構成とされており、垂直に立てられた上部パネルとその上部パネルの底辺から、車いす使用者の胸元から足先に向け張り出した、車いす使用者側から撮影者側へ向け凸状の側面視円弧状の形状を持つ曲面パネルとで構成されている。
【００１３】  以下、本考案の実施形態を図１、図２、図３、図４に従って一実施例を説明する。
【００１４】  顔出し孔４、５を設けた垂直な上部パネル２の底辺から、車いす使用者の胸元６から車いすアームレスト７、膝８に接触しないよう足先９に向け曲面パネル３を張り出している。
【００１５】  上部パネル２から張り出された曲面パネル３の下部に空間が形成され、車いす使用者の足先を収めることが可能となり、上部パネル２に設けた顔出し孔４を車いすに着座のまま利用することができる。
【００１６】  上部パネル２の右上端部から右看板基部１５へ真下に向け形成された右立支柱１０と、上部パネル２の左上端部から左看板基部１６へ向け真下に形成された左立支柱１１とが設けられている。
【００１７】  上部パネル２の上端部に左右の立支柱１０、１１の両端をむすぶ上部パネル横支柱１２と、曲面パネル３の下端部に左右の看板基部１５、１６の両端をむすぶ曲面パネル横支柱１３と、上部パネル２と曲面パネル３の接続部に左右の立支柱１０、１１の両端をむすぶ中央横支柱１４とが設けられている。
【００１８】  右立支柱１０の下端に連結された右看板基部１５と、左立支柱１１の下端に連結された左看板基部１６とが設けられている。
【００１９】  車いす利用者側に向く方向に、右立支柱１０から右看板基部１５に向け斜め方向に形成された右補強支柱１７と、車いす利用者側に向く方向に、左立支柱１１から左看板基部１６に向け形成された左補強支柱１８とが連結されている。
【００２０】  曲面パネルの右側端に沿って形成された右曲面支柱２１と、曲面パネルの左側端に沿って形成された左曲面支柱２２とが備えられている。
【００２１】  右立支柱１０と右看板基部１５とのＴ字型交差部位に右補強金具１９と、左立支柱１１と左看板基部１６とのＴ字型交差部位に左補強金具２０を看板の構造補強のため連結されている。
【００２２】  看板基部１５、１６に、移動時に利用できるキャスター付きアジャスター２３を取り付けることができる。またキャスター付きアジャスター２３は要望により取り付け、取り外しを可能とする。
【００２３】  図４は顔出し看板の撮影面１ａの形状を、適宜の形に変更することができる一例である。
【００２４】  前述した図４の形状は一例であるから限定されるわけではなく、本考案の趣旨を逸脱しない範囲で看板の正面における撮影面１ａの形状を変更して実施することが可能である。
尚この明細書における説明のために用いられた各図においては、各部材を図面上で表示するため、各部材毎に縮尺を異ならせて表示しており、必ずしも実際の寸法に比例して表示されているものではない。また実施例においては看板の大きさ等により状況に応じ適宜実施形態の応用を可能とするものとする。
【符号の説明】
【００２５】１ａ  看板撮影面
１ｂ  車いす利用者面
２  上部パネル
３  曲面パネル
４  車いす使用者および子供用の顔出し孔
５  大人用顔出し孔
６  車いす使用者の胸元
７  車いすアームレスト
８  車いす使用者の膝
９  車いす使用者の足先
１０  右立支柱
１１  左立支柱
１２  上部パネル横支柱
１３  曲面パネル横支柱
１４  中央横支柱
１５  右看板基部
１６  左看板基部
１７  右補強支柱
１８  左補強支柱
１９  右補強金具
２０  左補強金具
２１  右曲面支柱
２２  左曲面支柱
２３  キャスター付きアジャスター
【図１】
0003217082.tif 000003
【図２】
0003217082.tif 000004
【図３】
0003217082.tif 000005
【図４】
0003217082.tif 000006
【手続補正書】
【提出日】平成30年4月24日(2018.4.24)
【手続補正１】
【補正対象書類名】実用新案登録請求の範囲
【補正対象項目名】全文
【補正方法】変更
【補正の内容】
【実用新案登録請求の範囲】
【請求項１】
顔出し孔を備える垂直に立てられた上部パネルと、車いす使用者の胸元から車いすアームレストと車いす使用者の膝に接触しないよう、上部パネル底辺から足先に向け張り出した、車いす使用者側から撮影者側へ向け凸状の側面視円弧状の形状を持つ曲面パネルとの構成により、上部パネルと曲面パネルの下部に車いす使用者の足先部分が収まる空間を設けられている構造とすることを特徴とする顔出し看板。
【請求項２】
曲面パネルの右側端に沿って形成された右曲面支柱と、曲面パネルの左側端に沿って形成された左曲面支柱とを備えたことを特徴とする請求項１に記載の顔出し看板。
【請求項３】
上部パネル右端部から右看板基部へ真下に向け形成された右立支柱と、上部パネル左端部から左看板基部へ真下に向け形成された左立支柱と、上部パネル上端部に左右の立支柱の両端をむすぶ上部パネル横支柱と、曲面パネル下端部に左右の看板基部の両端をむすぶ曲面パネル横支柱と、上部パネルと曲面パネルの接続部に左右の立支柱の両端をむすぶ中央横支柱を設けられたことを特徴とする請求項１または２に記載の顔出し看板。
【請求項４】
前記右立支柱の下端に連結された前記右看板基部と、前記左立支柱の下端に連結された前記左看板基部とを設けられたことを特徴とする請求項３に記載された顔出し看板。
【請求項５】
車いす使用者側に向く方向に、前記右立支柱から前記右看板基部に向け斜め方向に形成された右補強支柱と、車いす使用者側に向く方向に、前記左立支柱から前記左看板基部に向け斜め方向に形成された左補強支柱とを備えたことを特徴とする請求項３または４に記載の顔出し看板。
【請求項６】
前記右立支柱と前記右看板基部とのＴ字型交差部位に右補強金具と、前記左立支柱と前記左看板基部とのＴ字型交差部位に左補強金具を看板の構造補強のため連結されたことを特徴とする請求項３から５のいずれか一項に記載の顔出し看板。
【請求項７】
前記右立支柱、前記左立支柱、前記右看板基部、前記左看板基部、前記上部パネル横支柱、前記曲面パネル横支柱、前記中央横支柱、前記右補強支柱、前記左補強支柱は、アルミ角パイプ、木材、鉄、ステンレスにより、単体又はこれらの組み合わせで構成されていることを特徴とする請求項３から６のいずれか一項に記載の顔出し看板。
【請求項８】
上部パネルと曲面パネルは、合板、化粧合板、プラスチック板、アルミ複合板、塩ビ板により、単体又はこれらの組み合わせで構成されていることを特徴とする請求項１から７のいずれか一項に記載の顔出し看板。